【手続補正書】
【提出日】平成16年9月8日(2004.9.8)
【手続補正１】
【補正対象書類名】明細書
【補正対象項目名】発明の名称
【補正方法】変更
【補正の内容】
【発明の名称】インクジェットヘッドユニットの調整装置及び調整方法
【手続補正２】
【補正対象書類名】明細書
【補正対象項目名】特許請求の範囲
【補正方法】変更
【補正の内容】
【特許請求の範囲】
【請求項１】
複数のインクジェットヘッドを有するインクジェットヘッドユニットを被記録部材に対して相対的に走査させながら被記録部材に向けてインクを吐出し、各ラインを記録する装置に用いられる前記インクジェットヘッドユニットを調整する装置であって、
前記複数のインクジェットヘッドの相対的な位置ズレを検出する位置ズレ検出手段と、
前記複数のインクジェットヘッドの前記走査方向に対する傾き角度を検出する角度検出手段とを具備することを特徴とするインクジェットヘッドユニットの調整装置。
【請求項２】
前記位置ズレ検出手段と前記角度検出手段とは、前記複数のインクジェットヘッドから吐出されたインクが被描画部材上に形成する所定の調整用描画パターンを撮像するカメラと、該カメラにより撮像された前記調整用描画パターンの像から前記複数のインクジェットヘッドの相対位置ズレと前記走査方向に対する傾き角度とを演算する演算手段とを備えることを特徴とする請求項１に記載のインクジェットヘッドユニットの調整装置。
【請求項３】
前記カメラはラインセンサカメラであり、該ラインセンサカメラを前記被描画部材に対して相対的に走査させる走査手段をさらに具備することを特徴とする請求項２に記載のインクジェットヘッドユニットの調整装置。
【請求項４】
前記インクジェットヘッドユニットは、カラーフィルタ基板にインクを吐出して各画素列を着色し、カラーフィルタを製造するのに用いられることを特徴とする請求項１乃至３のいずれか１項に記載のインクジェットヘッドユニットの調整装置。
【請求項５】
複数のノズルを有するインクジェットヘッドを備えるインクジェットヘッドユニットを被記録部材に対して相対的に走査させながら被記録部材に向けてインクを吐出し、各ラインを記録する装置に用いられる前記インクジェットヘッドユニットを調整する装置であって、
前記複数のノズルの吐出量のバラつきを測定する測定手段と、
該測定手段により測定された前記複数のノズルの吐出量のバラつきのデータに基づいて、前記複数のノズルの吐出量のバラつきを補正するデータを作成する演算手段とを具備することを特徴とするインクジェットヘッドユニットの調整装置。
【請求項６】
前記測定手段は、前記インクジェットヘッドユニットにより所定の被描画部材上に描画された測定用描画パターンを撮像するカメラを有することを特徴とする請求項５に記載のインクジェットヘッドユニットの調整装置。
【請求項７】
前記インクジェットヘッドユニットは、カラーフィルタ基板にインクを吐出して各画素列を着色し、カラーフィルタを製造するのに用いられることを特徴とする請求項５乃至６のいずれか１項に記載のインクジェットヘッドユニットの調整装置。
【請求項８】
複数のインクジェットヘッドを有するインクジェットヘッドユニットを被記録部材に対して相対的に走査させながら被記録部材に向けてインクを吐出し、各ラインを記録する装置に用いられる前記インクジェットヘッドユニットを調整する方法であって、
前記複数のインクジェットヘッドの相対的な位置ズレを検出する位置ズレ検出工程と、
前記複数のインクジェットヘッドの前記走査方向に対する傾き角度を検出する角度検出工程と、
前記位置ずれ検出工程と前記角度検出工程において得られた検出結果に基づいて前記インクジェットヘッドユニットを調整する調整工程とを具備することを特徴とするインクジェットヘッドユニットの調整方法。
【請求項９】
前記位置ズレ検出工程と前記角度検出工程では、前記複数のインクジェットヘッドから吐出されたインクが被描画部材上に形成する所定の調整用描画パターンをカメラで撮像し、該カメラにより撮像された前記調整用描画パターンの像から前記複数のインクジェットヘッドの相対位置ズレと前記走査方向に対する傾き角度とを演算することを特徴とする請求項８に記載のインクジェットヘッドユニットの調整方法。
【請求項１０】
前記カメラはラインセンサカメラであり、前記位置ズレ検出工程と前記角度検出工程では、前記ラインセンサカメラを前記被描画部材に対して相対的に走査させて前記調整用描画パターンを撮像することを特徴とする請求項９に記載のインクジェットヘッドユニットの調整方法。
【請求項１１】
前記インクジェットヘッドユニットは、カラーフィルタ基板にインクを吐出して各画素列を着色し、カラーフィルタを製造するのに用いられることを特徴とする請求項８乃至１０のいずれか１項に記載のインクジェットヘッドユニットの調整方法。
【請求項１２】
複数のノズルを有するインクジェットヘッドを備えるインクジェットヘッドユニットを被記録部材に対して相対的に走査させながら被記録部材に向けてインクを吐出し、各ラインを記録する装置に用いられる前記インクジェットヘッドユニットを調整する方法であって、
前記複数のノズルの吐出量のバラつきを測定する測定工程と、
該測定工程において測定された前記複数のノズルの吐出量のバラつきのデータに基づいて、前記複数のノズルの吐出量のバラつきを補正するデータを作成する演算工程とを具備することを特徴とするインクジェットヘッドユニットの調整方法。
【請求項１３】
前記測定工程では、前記インクジェットヘッドユニットにより所定の被描画部材上に描画された測定用描画パターンをカメラにより撮像することを特徴とする請求項１２に記載のインクジェットヘッドユニットの調整方法。
【請求項１４】
前記インクジェットヘッドユニットは、カラーフィルタ基板にインクを吐出して各画素列を着色し、カラーフィルタを製造するのに用いられることを特徴とする請求項１２乃至１３のいずれか１項に記載のインクジェットヘッドユニットの調整方法。
【請求項１５】
異なる色のインクそれぞれを吐出する複数のインクジェットヘッドを有するインクジェットヘッドユニットを基板に対して第１方向に相対走査させながらインクを吐出して前記基板を着色する装置に用いられる前記インクジェットヘッドユニットを調整するための調整装置であって、
前記第１方向に沿った基板上の画素列に直交する第２方向における、前記各インクジェットヘッドの使用ノズルの間隔と、前記第２方向における、前記各インクジェットヘッドにより着色される隣接画素列の距離とが一致するように、前記第２の方向に対する前記各インクジェットヘッドの角度を調整する角度調整手段と、
前記基板上の各画素列が各インクジェットヘッドから吐出される各色インクによって着色可能とされるよう、前記ノズルが配列される方向に前記インクジェットヘッドを移動させることにより前記ノズル配列方向における前記インクジェットヘッドのノズル位置を調整する位置調整手段と、
を備えることを特徴とするインクジェットヘッドユニットの調整装置。
【請求項１６】
前記角度調整手段は、前記複数のインクジェットヘッドを同時に回転させることにより前記複数の インクジェットヘッドの角度を粗調整し、その後、前記複数のインクジェットヘッドの各々を回転させることにより前記各インクジェットヘッドの角度を微調整することを特徴とする請求項１５に記載のインクジェットヘッドユニットの調整装置。
【請求項１７】
前記インクジェットヘッドユニットは、カラーフィルタ基板にインクを吐出し各画素列を着色してカラーフィルタを製造するカラーフィルタ製造装置に用いられることを特徴とする請求項１５または１６に記載のインクジェットヘッドユニットの調整装置。
【請求項１８】
異なる色のインクそれぞれを吐出する複数のインクジェットヘッドを有するインクジェットヘッドユニットを基板に対して第１方向に相対走査させながらインクを吐出して前記基板を着色する場合に用いられる前記インクジェットヘッドユニットを調整するための調整方法であって、
前記第１方向に沿った基板上の画素列に直交する第２方向における、前記各インクジェットヘッドの使用ノズルの間隔と、前記第２方向における、前記各インクジェットヘッドにより着色される隣接画素列の距離とが一致するように、前記第２の方向に対する前記インクジェットヘッドの角度を調整する角度調整工程と、
前記基板上の各画素列が各インクジェットヘッドから吐出される各色インクによって着色可能とされるよう、前記ノズルが配列される方向に前記インクジェットヘッドを移動させることにより前記ノズル配列方向における前記インクジェットヘッドのノズル位置を調整する位置調整工程と、
を備えることを特徴とするインクジェットヘッドユニットの調整方法。
【手続補正３】
【補正対象書類名】明細書
【補正対象項目名】００２７
【補正方法】変更
【補正の内容】
【００２７】
また、本発明に係わるインクジェットヘッドユニットの調整装置は、異なる色のインクそれぞれを吐出する複数のインクジェットヘッドを有するインクジェットヘッドユニットを基板に対して第１方向に相対走査させながらインクを吐出して前記基板を着色する装置に用いられる前記インクジェットヘッドユニットを調整するための調整装置であって、前記第１方向に沿った基板上の画素列に直交する第２方向における、前記各インクジェットヘッドの使用ノズルの間隔と、前記第２方向における、前記各インクジェットヘッドにより着色される隣接画素列の距離とが一致するように、前記第２の方向に対する前記各インクジェットヘッドの角度を調整する角度調整手段と、前記基板上の各画素列が各インクジェットヘッドから吐出される各色インクによって着色可能とされるよう、前記ノズルが配列される方向に前記インクジェットヘッドを移動させることにより前記ノズル配列方向における前記インクジェットヘッドのノズル位置を調整する位置調整手段と、を備えることを特徴としている。
【手続補正４】
【補正対象書類名】明細書
【補正対象項目名】００２８
【補正方法】変更
【補正の内容】
【００２８】
また、この発明に係わるインクジェットヘッドユニットの調整装置において、前記角度調整手段は、前記複数のインクジェットヘッドを同時に回転させることにより前記複数の インクジェットヘッドの角度を粗調整し、その後、前記複数のインクジェットヘッドの各々を回転させることにより前記各インクジェットヘッドの角度を微調整することを特徴としている。
【手続補正５】
【補正対象書類名】明細書
【補正対象項目名】００２９
【補正方法】変更
【補正の内容】
【００２９】
また、この発明に係わるインクジェットヘッドユニットの調整装置において、前記インクジェットヘッドユニットは、カラーフィルタ基板にインクを吐出し各画素列を着色してカラーフィルタを製造するカラーフィルタ製造装置に用いられることを特徴としている。
【手続補正６】
【補正対象書類名】明細書
【補正対象項目名】００３０
【補正方法】変更
【補正の内容】
【００３０】
また、本発明に係わるインクジェットヘッドユニットの調整方法は、異なる色のインクそれぞれを吐出する複数のインクジェットヘッドを有するインクジェットヘッドユニットを基板に対して第１方向に相対走査させながらインクを吐出して前記基板を着色する場合に用いられる前記インクジェットヘッドユニットを調整するための調整方法であって、
前記第１方向に沿った基板上の画素列に直交する第２方向における、前記各インクジェットヘッドの使用ノズルの間隔と、前記第２方向における、前記各インクジェットヘッドにより着色される隣接画素列の距離とが一致するように、前記第２の方向に対する前記インクジェットヘッドの角度を調整する角度調整工程と、前記基板上の各画素列が各インクジェットヘッドから吐出される各色インクによって着色可能とされるよう、前記ノズルが配列される方向に前記インクジェットヘッドを移動させることにより前記ノズル配列方向における前記インクジェットヘッドのノズル位置を調整する位置調整工程と、を備えることを特徴としている。
【手続補正７】
【補正対象書類名】明細書
【補正対象項目名】００３１
【補正方法】削除
【補正の内容】
【手続補正８】
【補正対象書類名】明細書
【補正対象項目名】００３２
【補正方法】削除
【補正の内容】
【手続補正９】
【補正対象書類名】明細書
【補正対象項目名】００３３
【補正方法】削除
【補正の内容】
【手続補正１０】
【補正対象書類名】明細書
【補正対象項目名】００３４
【補正方法】削除
【補正の内容】
【手続補正１１】
【補正対象書類名】明細書
【補正対象項目名】００３５
【補正方法】削除
【補正の内容】
【手続補正１２】
【補正対象書類名】明細書
【補正対象項目名】００３６
【補正方法】削除
【補正の内容】
【手続補正１３】
【補正対象書類名】明細書
【補正対象項目名】００３７
【補正方法】削除
【補正の内容】
【手続補正１４】
【補正対象書類名】明細書
【補正対象項目名】００３８
【補正方法】削除
【補正の内容】
【手続補正１５】
【補正対象書類名】明細書
【補正対象項目名】００３９
【補正方法】削除
【補正の内容】
【手続補正１６】
【補正対象書類名】明細書
【補正対象項目名】００４０
【補正方法】削除
【補正の内容】
【手続補正１７】
【補正対象書類名】明細書
【補正対象項目名】００４１
【補正方法】削除
【補正の内容】
【手続補正１８】
【補正対象書類名】明細書
【補正対象項目名】００４２
【補正方法】削除
【補正の内容】
【手続補正１９】
【補正対象書類名】明細書
【補正対象項目名】００４３
【補正方法】削除
【補正の内容】
【手続補正２０】
【補正対象書類名】明細書
【補正対象項目名】００４４
【補正方法】削除
【補正の内容】
【手続補正２１】
【補正対象書類名】明細書
【補正対象項目名】００４５
【補正方法】削除
【補正の内容】